(57)【要約】【課題】  ゴミステーションに設置されている従来の一般的なゴミ収容箱では、ゴミ収容室内へのゴミ入り袋の出し入れ作業を行うために出入口を低くしているので、ゴミ収容室の容量が小さい。【解決手段】  左右に所定広幅で人の背丈より高い高さのゴミ箱本体１の前面の約１／２幅部分にゴミ収容室２内に人が出入りし得る出入口２１を設けたゴミ収容箱において、ゴミ収容室２を左右に２分割し得る所定小高さの仕切扉４と、出入口２１を開閉する所定小高さの中扉６をそれぞれ開位置と閉位置との間で水平回動させ得るように取付けることにより、ゴミ収容室２の奥側収容部２ｂ及び出入口側収容部２ａにそれぞれゴミ入り袋を安定状態で大量に収容し得るようにした。【選択図】      図２
2007223748.tif 000002
【特許請求の範囲】
【請求項１】
左右に所定広幅で人の背丈より高い高さのゴミ箱本体（１）を有し、該ゴミ箱本体（１）の前面の約１／２幅部分にゴミ収容室（２）内に人が出入りし得る出入口（２１）を設け、該出入口（２１）にスライド開閉式の外扉（３）を設けたゴミ収容箱であって、
前記ゴミ収容室（２）の奥面壁（１２）におけるほぼ中央位置に、ゴミ収容室（２）を左右に２分割し得る所定小高さの仕切扉（４）を、出入口側奥面壁（１２ａ）に沿う開放位置と、前面壁（１１）と奥面壁（１２）間を仕切る仕切り位置との間で水平回動させ得るように取付けている一方、
前記出入口（２１）における側面壁（１３）側の端部位置に、所定小高さの中扉（６）を、前記側面壁（１３）に沿う開位置と、出入口（２１）の下方部分を閉じる閉位置との間で水平回動させ得るように取付けている、
ことを特徴とするゴミ収容箱。
【請求項２】
請求項１において、
仕切扉（４）に、所定小高さの継ぎ足し扉（５）を、仕切扉（４）の側面に沿う格納位置と仕切扉（４）の上端から上方に突出する継ぎ足し位置との間で上下変位させ得るように取付けている、
ことを特徴とするゴミ収容箱。
【発明の詳細な説明】
【技術分野】
【０００１】
本願発明は、例えば家庭ゴミを廃棄するゴミステーション等に設置されるゴミ収容箱に関するものである。
【背景技術】
【０００２】
家庭ゴミは、ゴミ袋にいれてゴミステーションに設置されたゴミ収容箱内に廃棄するが、従来のゴミ収容箱は、上面にゴミ投入口を設けた矩形容器状のものがほとんどである。又、ゴミ収容箱の上面を開放したままでは、カラス等がゴミ入り袋を破いて周囲を汚すことがあるため、例えば図９及び図１０に示すようにゴミ箱本体１０１のゴミ投入口１０３を上蓋１０４で開閉し得るようにしたものが多い。
【０００３】
尚、この種の上蓋開閉式のゴミ収容箱として、本件出願人の出願にかかる特開２００３−１２８２０１号公報（特許文献１）に示されるものがある。
【０００４】
【特許文献１】特開２００３−１２８２０１号公報
【発明の開示】
【発明が解決しようとする課題】
【０００５】
ところで、図９及び図１０に示すように、上面にゴミ投入口１０３を設けたゴミ収容箱では、ゴミ収容室１０２内のゴミ入り袋Ｙを回収（排出）するときに、ゴミ投入口１０３の高さが高いと回収作業（ゴミ収容室１０２内に手を差し込んでゴミ入り袋Ｙを取り出す必要がある）がしにくくなるので、ゴミ投入口１０３の高さ（特にゴミ投入口１０３の手前側部分の高さＨ）を例えば６０〜８０cm程度まで低くしているのが現状である。
【０００６】
従って、上面にゴミ投入口１０３を設けたゴミ収容箱では、設置面積の割にゴミ収容室１０２の容積が小さくなってゴミ入り袋Ｙの許容収容量が少ないという難点がある。
【０００７】
尚、上面にゴミ投入口を設けた公知のゴミ収容箱の中には、前面に扉を設けてゴミ入り袋回収時に前面扉を開いて前面側からゴミ入り袋を取り出せるようにしたものもあるが、この場合は、上面の投入口の高さを９０〜１００cm程度まで高くすることができるものの、それでもゴミ収容室内の容積を設置面積の割にさほど大きくできない（ゴミ投入口の高さをそれ以上高くすると、ゴミ入り袋の投入作業がしにくくなる）。
【０００８】
又、ゴミ収容箱として、高さを１８０〜２００cm程度まで高くし、前面側に人が出入りできる出入口を設けるとともに、その出入口を左右スライド式の扉で開閉し得るようにしたものも考えられる。この場合のゴミ収容箱では、ゴミ収容室の容積は大きくできるものの、ゴミ収容室内にある程度の個数のゴミ入り袋を積み重ねると、手前側のゴミ入り袋が扉内面に接触して、該扉が開閉できなくなり、従って容積の割にゴミ入り袋の許容収容量が少なくなる。
【０００９】
そこで、本願発明は、ゴミ収容室の高さを高くしたゴミ収容箱において、多量のゴミ入り袋を収容し得るようにすることを目的としている。
【課題を解決するための手段】
【００１０】
本願発明は、上記課題を解決するための手段として次の構成を有している。尚、本願発明は、例えばゴミステーションに設置されるゴミ収容箱を対象にしている。
【００１１】
本願請求項１の発明
本願請求項１の発明のゴミ収容箱は、左右に所定広幅で人の背丈より高い高さのゴミ箱本体を有し、該ゴミ箱本体の前面の約１／２幅部分にゴミ収容室内に人が出入りし得る出入口を設け、該出入口にスライド開閉式の外扉を設けたものである。
【００１２】
ゴミ箱本体の大きさは、特に限定するものではないが、例えば左右幅が１８０cm、奥行き幅が９０cm、高さが１８０〜２００cm程度のものが採用できる。尚、ゴミ箱本体は、鋼製フレームで矩形の立体形状に枠組みをするとともに、出入口以外の壁面部分に金網を張設して構成されている。
【００１３】
出入口は、ゴミ箱本体の前面の約１／２幅で、人が出入りするのに適当な８０〜９０cm程度の幅を有している。又、この出入口は、ゴミ箱本体の全高さ範囲に亘って開口させている。尚、この出入口は、左右スライド式の外扉で開閉される。
【００１４】
ところで、出入口をゴミ箱本体前面の約１／２幅に設定すると、ゴミ収容室として、出入口に対面する位置の出入口側収容部と奥側に位置する奥側収容部とが左右に連続する状態で設けられる。
【００１５】
本願請求項１のゴミ収容箱には、ゴミ収容室を左右に２分割し得る所定小高さの仕切扉と、出入口を開閉し得る所定小高さの中扉をそれぞれ水平回動させ得るように取付けている。
【００１６】
仕切扉は、高さが６０〜７０cmで幅がゴミ収容室内の奥行き幅よりやや小さい８０cm程度の矩形に形成されている。そして、この仕切扉は、その幅方向一側部をゴミ収容室の奥面壁におけるほぼ中央位置に縦向きの軸で枢支して、出入口側奥面壁に沿う開放位置）非仕切り位置）と前面壁と奥面壁間を仕切る仕切り位置との間で水平回動させ得るように取付けている。
【００１７】
中扉は、仕切扉とほぼ同大きさ（高さが６０〜７０cmで幅が８０cm程度）で同構造のものが使用できる。そして、この中扉は、その幅方向一側部を出入口における側面壁側の端部位置に縦向きの軸で枢支して、出入口側の側面壁に沿う開位置と、出入口の下方部分を閉じる閉位置との間で水平回動させ得るように取付けている。尚、中扉で出入口の下方部分を閉じた状態でも、外扉は中扉の外側にあるので該外扉を自由にスライド開閉し得るようになっている。
【００１８】
本願請求項１のゴミ収容箱は、次のようにして使用される。まず、ゴミ収容室が空の状態では、仕切扉を開放位置に位置させる一方、中扉を開位置に位置させておく。
【００１９】
そして、ゴミ収容室内にゴミ入り袋を収容するには、外扉を開放し、出入口からゴミ収容室内にゴミ入り袋を持ち込んで奥側収容部の最奥部に置き、順次奥側収容部内の所定小高さまで（仕切扉を仕切り位置に回動させるのに邪魔にならない範囲まで）収容する。
【００２０】
次に、開放位置にある仕切扉を仕切り位置まで回動させてロックし、その状態で次のゴミ入り袋を仕切扉の上から奥側収容部内に順次積み上げていく。このとき、奥側収容部内のゴミ入り袋は、仕切扉の高さまでは該仕切扉に堰止められて出入口側収容部側に滑落（転落）することがない。又、奥側収容部に収容するゴミ入り袋は、仕切扉で堰止められる範囲で滑落しない程度まで奥側に上り傾斜させるように収容させるとよい。
【００２１】
奥側収容部内に許容範囲（滑落しない範囲）までゴミ入り袋を収容させると、次に中扉を出入口閉位置に回動させてロックする。そして、奥側収容部の場合と同様に、中扉の上からゴミ入り袋を出入口側収容部内に投入して順次積み上げていき、この出入口側収容部にも、中扉で堰止め得る高さまでゴミ入り袋を傾斜状態に積み重ねることができる。この状態では、出入口側収容部内のゴミ入り袋が中扉で堰止められているので、出入口の前面に外扉がスライド開閉可能になっており、ゴミ回収車が巡回してくるまでは外扉で出入口を閉じておくことができる。
【００２２】
このように、ゴミ収容室の約１／２幅部分に小高さの仕切扉を設け、出入口に中扉を設けるようにしたものでは、縦長大容積のゴミ収容室であっても奥側収容部及び出入口側収容部にそれぞれ多量（多数）のゴミ入り袋を収容でき、しかもゴミ入り袋を多量に収容した状態であっても外扉を自由に開閉できる。
【００２３】
他方、ゴミ収容室内のゴミ入り袋を回収するには、外扉を開放した状態で、まず出入口側収容部内のゴミ入り袋を中扉の上から順次排出していくが、出入口側収容部の奥底部付近にあるゴミ入り袋でも、中扉が小高さ（６０〜７０cm）であるので中扉の上から手を差し込んで取り出すことができる。そして、出入口側収容部内のゴミ入り袋を取り出した後、中扉を閉位置まで回動し、次に作業員が出入口側収容部に入って奥側収容部のゴミ入り袋を取り出す。尚、奥側収容部のゴミ入り袋が多量にあるときは、仕切扉を仕切り位置に維持させたままで仕切扉の上からゴミ入り袋を取り出し、ある程度排出した後に仕切扉を開位置まで回動させれば、出入口側収容部と奥側収容部との間に仕切りがなくなって、残りのゴミ入り袋の排出作業が容易に行える。
【００２４】
本願請求項２の発明
本願請求項２の発明は、上記請求項１のゴミ収容箱において、仕切扉に、所定小高さの継ぎ足し扉を、仕切扉の側面に沿う格納位置と仕切扉の上端から上方に突出する継ぎ足し位置との間で上下変位させ得るように取付けている。
【００２５】
継ぎ足し扉は、幅が仕切扉の幅とほぼ同幅（若干狭幅でもよい）で高さが例えば３０cm程度の大きさを有している。そして、この継ぎ足し扉は、仕切扉に対して上下に弧回動させ得るように取付けたり、あるいは仕切扉に対して上下にスライドさせ得るように取付けることができる。尚、継ぎ足し扉は、仕切扉上方の継ぎ足し位置に位置させた状態で、仕切扉に対して適宜のロック手段で姿勢保持し得るようにしている。又、この継ぎ足し扉の格納は、仕切扉を継ぎ足し位置に位置させた状態において仕切扉の出入口側収容部側の側面に沿うようにすると、継ぎ足し扉の格納動作時に奥側収容部内のゴミ入り袋が邪魔にならない。
【００２６】
この請求項２の発明のゴミ収容箱では、継ぎ足し扉は次のようにして使用される。即ち、仕切扉の高さ範囲で奥側収容部にゴミ入り袋を出し入れする場合は、継ぎ足し扉を仕切扉の側面に沿う格納位置に位置させて行う。この場合、仕切扉部分は、仕切扉の上端が最高高さ（６０〜７０cm程度）となるので、その仕切扉の上から奥側収容部内にゴミ入り袋を出し入れすることができる（継ぎ足し扉が邪魔にならない）。又、奥側収容部にゴミ入り袋を仕切扉で堰止め得る高さまで収容した後、継ぎ足し扉を仕切扉上方の継ぎ足し位置に変位させると、仕切扉部分の全体高さ（仕切扉＋継ぎ足し扉）が９０〜１００cmになり、奥側収容部内にゴミ入り袋を一層高くまで積み重ねる（堰止める）ことができる。
【００２７】
又、継ぎ足し扉を使用し、奥側収容部内にゴミ入り袋を許容範囲まで収納したものを回収（排出）するには、継ぎ足し扉の上から手を差し入れて上段側のゴミ入り袋を排出し（継ぎ足し扉を格納してもゴミ入り袋が滑落しない程度まで排出する）、その後に継ぎ足し扉を仕切扉に沿う位置まで格納し、続いて上記請求項１の場合と同様に仕切扉の上からゴミ入り袋を排出し、ある程度排出した後に仕切扉を開位置まで回動させて残りのゴミ入り袋を排出すればよい。
【発明の効果】
【００２８】
本願請求項１の発明の効果
本願請求項１の発明のゴミ収容箱は、左右に所定広幅で人の背丈より高い高さのゴミ箱本体を用いて左右及び上下に大容積のゴミ収容室を設けたものにおいて、ゴミ収容室の奥面壁におけるほぼ中央位置にゴミ収容室を左右に２分割し得る所定小高さの仕切扉と、出入口の一端位置に所定小高さの中扉をそれぞれ水平回動させ得るように取付けている。
【００２９】
そして、仕切扉を仕切位置に位置させることで、ゴミ収容室の奥側収容部内に収容する
ゴミ入り袋を堰止めることができる一方、中扉を出入口閉位置に位置させることで、ゴミ収容室の出入口側収容部内に収容するゴミ入り袋を堰止めることができる。
【００３０】
従って、この請求項１のゴミ収容箱では、仕切扉により奥側収容部内にかなり高位置までゴミ入り袋を安定姿勢で収容し得るとともに、中扉により出入口側収容部にもゴミ入り袋をかなり高位置まで安定姿勢で収容できるので、設置床面積が同じであっても、ゴミ入り袋の収容率を大幅に向上させることができるという効果がある。
【００３１】
又、出入口を外扉でスライド開閉するものでも、中扉を閉位置に位置させることで、出入口側収容部内に多量（多数個）のゴミ入り袋を収容した場合でも該ゴミ入り袋が中扉で堰止められるので、外扉を自由に開閉できるという効果がある。
【００３２】
本願請求項２の発明の効果
本願請求項２の発明は、上記請求項１のゴミ収容箱において、仕切扉に、所定小高さの継ぎ足し扉を、仕切扉の上端から上方に突出する継ぎ足し位置と仕切扉の側面に沿う格納位置との間で上下変位させ得るように取付けている。
【００３３】
従って、この請求項２のゴミ収容箱では、上記請求項１の効果に加えて、継ぎ足し扉を仕切扉の上部に継ぎ足すことで奥側収容部内に一層多くのゴミ入り袋を安定状態（滑落しない状態）で収容できるという効果がある。又、継ぎ足し扉は、不使用時には仕切扉に沿って格納できるので邪魔にならない。
【実施例】
【００３４】
以下、図１〜図８を参照して本願実施例のゴミ収容箱を説明する。
【００３５】
この実施例のゴミ収容箱は、図１〜図３に示すように、左右に所定広幅で人の背丈より高い高さのゴミ箱本体１を有し、該ゴミ箱本体１の前面の約１／２幅部分にゴミ収容室２内に人が出入りし得る出入口２１を設けるとともに、該出入口２１に左右スライド式の外扉３を設けたものである。
【００３６】
ゴミ箱本体１は、鋼製フレームで矩形の立体形状に枠組みをするとともに、出入口２１以外の壁面部分（前面壁１１、奥面壁１２、左側面壁１３、右側面壁１４、底面壁１５、天面壁１６）にそれぞれ金網を張設して構成されている。このゴミ箱本体１の大きさは、この実施例では、左右幅が１８０cm、奥行き幅が９０cm、高さが１８０〜２００cm程度に形成している。又、出入口２１は、幅が８０cm程度で、ゴミ箱本体１のほぼ全高さ範囲に亘って開口させている。尚、これらの寸法は、特に限定するものではなく、要旨を変更しない程度に設計変更できる。
【００３７】
出入口２１は、スライド式の外扉３で開閉される。この外扉３は、ゴミ箱本体１の前縁部上面に設けたレール１７から吊り下げた状態で、出入口２１を閉じる閉位置（図１、図２の実線図示位置）と出入口２１を開放する開位置（図１、図２に鎖線図示する符号３′の位置）との間でスライド開閉し得るようになっている。この外扉３の上部には、左右に離間した２箇所にローラ３１，３１を取付けていて、該各ローラ３１，３１をレール１７上に転動させるようにしている。尚、図１において、符号１８，１８は外扉３のスライド範囲を規制するストッパー、符号１９は外扉３の下端部をガードする振れ止め用のガイドである。
【００３８】
ゴミ箱本体１内のゴミ収容室２は、出入口２１に対面する位置の出入口側収容部２ａと奥側に位置する奥側収容部２ｂとが左右に連続する状態で設けられている。
【００３９】
このゴミ収容箱には、ゴミ収容室２を左右に２分割し得る所定小高さの仕切扉４と、仕切扉４の上部に継ぎ足される継ぎ足し扉５と、出入口２１を開閉し得る所定小高さの中扉６とを有している。
【００４０】
仕切扉４は、高さが６０〜７０cmで幅がゴミ収容室２内の奥行き幅よりやや小さい８０cm程度の矩形に形成されている。尚、この実施例では、仕切扉４としてフレーム状の周枠内に金網を張設したものを使用しているが、図６に示すようにゴミ入り袋Ｙを堰止め得るものであれば、適宜のもの（例えば１枚の板材）を使用できる。
【００４１】
そして、この仕切扉４は、その幅方向一側部をゴミ収容室２の奥面壁１２におけるほぼ中央位置に縦向きの軸４１（図５、図７に拡大図示している）で枢支して、出入口側奥面壁１２ａに沿う開放位置（符号４で示す位置）と、前面壁１１と奥面壁１２間を仕切る仕切り位置（符号４′で示す位置）との間で、回動線Ｒ1で示すように水平回動させ得るように取付けている。尚、この仕切扉４は、ゴミ収容室２内の底部寄り位置に設置されている。
【００４２】
仕切扉４は、図７に示すように、仕切り位置において仕切扉４の自由端側を前面壁１１側のストッパー４２に対して係止片４３を係合させることで回動不能にロックし得るようにしている。尚、この仕切扉４は、出入口側奥面部１２ａに沿う開放位置でも適宜の手段でロックし得るようにするとよい。
【００４３】
継ぎ足し扉５は、幅が仕切扉４の幅とほぼ同幅（図示例では若干狭幅）で高さが３０cm程度の大きさを有している。そして、この継ぎ足し扉５は、符号５又は５′で示す仕切扉４の側面に沿った格納位置と、符号５″で示す仕切扉４の上端から上方に突出する継ぎ足し位置との間で上下に弧回動させ得るように取付けている。即ち、この実施例では、図７に示すように継ぎ足し扉５（図７では５″）を２つの蝶番５１，５１で上下に弧回動自在に取付けており、該継ぎ足し扉５を回動線Ｒ3で示すように上下に弧回動させることで下方の格納位置（符号５又は５′の状態）と上方の継ぎ足し位置（符号５″の状態）とで変位させ得るようになっている。
【００４４】
又、この継ぎ足し扉５は、仕切扉４の上方に継ぎ足した継ぎ足し姿勢において姿勢保持し得るようにしている。この実施例では、継ぎ足し扉５の継ぎ足し姿勢保持手段として、図７に示すように継ぎ足し扉５″側に設けたスライド棒５２を仕切扉４のフレーム枠に対して挿脱自在に嵌挿し得るようにしたものを採用している。そして、スライド棒５２を７に実線図示するように仕切扉４のフレーム枠に挿入した状態では、継ぎ足し扉５″の弧回動が禁止される一方、該スライド棒５２を鎖線図示するように上方に引き上げると、スライド棒５２が仕切扉４のフレーム枠から抜けて継ぎ足し扉５″が手前側に弧回動可能になる（折畳める）。尚、継ぎ足し扉５を継ぎ足し姿勢で保持させるのは、図６に符号５″で示す継ぎ足し姿勢において、奥側収容部２ｂに収容されたゴミ入り袋Ｙによる押圧力で継ぎ足し扉５″が下方に弧回動しないようにするためのものである。
【００４５】
尚、継ぎ足し扉５の姿勢保持手段５２としては、該継ぎ足し扉５を継ぎ足し姿勢で保持できるものであれば適宜の構成のものを採用できる。又、この実施例では、継ぎ足し扉５を上下弧回動可能に取付けているが、他の実施例では、継ぎ足し扉５を仕切扉４に対して上下スライド式に取付けたものでもよい。
【００４６】
中扉６は、仕切扉４とほぼ同大きさ（高さが６０〜７０cmで幅が８０cm程度）で同構造のものが使用されている。そして、この中扉６は、図２、図３、図５に示すように、幅方向一側部（図示例では左端部）を出入口２１の一端位置に縦向きの軸６１で枢支して、出入口２１側の左側面壁１３に沿う開位置（符号６の位置）と、出入口２１の下方部分を閉じる閉位置（符号６′の位置）との間で水平回動させ得るように取付けている。この中扉６も、ゴミ収容室２内の底部寄り位置に設けられている。尚、この中扉は、開位置と閉位置でそれぞれロックし得るようにするとよい。
【００４７】
この実施例のゴミ収容箱は、次のようにして使用される。まず、ゴミ収容室２が空の状態では、継ぎ足し扉５を仕切扉４の側面に沿って下方に折畳んだ状態で該継ぎ足し扉５ごと仕切扉４を開放位置（符号４の位置）に位置させる一方、中扉６を開位置（符号６の位置）に位置させておく。この状態では、ゴミ収容室２の出入口側収容部２ａと奥側収容部２ｂとは仕切りのない状態で連続しているとともに、出入口２１も外扉６のみで閉塞されている。尚、継ぎ足し扉５を仕切扉４の側面に沿って下方に折畳んだ状態では仕切扉４が小高さ（例えば６０〜７０cm）なので、仕切扉４を当初からゴミ収容室２を２分割する仕切り位置に位置させた状態でも、仕切扉４の上からゴミ入り袋Ｙを奥側収容部２ｂに投入することができるが、当初は仕切扉４を開放位置に位置させている方がゴミ入り袋Ｙを奥側収容部２ｂの最奥部に置き易い。
【００４８】
そして、ゴミ収容室２内にゴミ入り袋Ｙを収容するには、外扉３を開放し、出入口２１からゴミ収容室２内にゴミ入り袋Ｙを持ち込んで奥側収容部２ｂの最奥部に置き、順次奥側収容部２ｂ内の所定小高さまで（仕切扉４を仕切り位置に回動させるのに邪魔にならない範囲まで）収容する。この場合、各ゴミ入り袋Ｙを、仕切扉４の仕切り位置側から奥側収容部２ｂの側面壁（右側面壁１４）に向けて滑落しない程度に上り傾斜する状態で積み上げておくと、仕切扉４を閉じた後にゴミ入り袋Ｙを奥側収容部２ｂの最奥部に投入する量（個数）を少なくできる。尚、ゴミ入り袋の積層傾斜角度は、例えば４０°〜４５°程度までであれば上のゴミ入り袋Ｙが滑落することがない。
【００４９】
次に、開放位置（出入口側収容部２ａ内）にある仕切扉４を各図に符号４′で示すように仕切り位置（前面壁１１と奥面壁１２間）まで回動させて、該仕切扉４′を図７に示すように係止片４３でストッパー４２にロックする。尚、この時点では、継ぎ足し扉５は、符号５′で示す下方折畳み位置に維持させている。そして、この状態で、次のゴミ入り袋Ｙを仕切扉４の上から奥側収容部２ｂ内にある先のゴミ入り袋Ｙ上に順次積み上げていくが、このとき奥側収容部２ｂ内のゴミ入り袋Ｙは、仕切扉４′の高さまでは該仕切扉４′に堰止められて出入口側収容部２ａ側に転落することがない。又、奥側収容部２ｂに収容するゴミ入り袋Ｙは、図６に積層線Ｌ1で示すように、仕切扉４′で堰止められる範囲で滑落しない程度まで奥側に上り傾斜（例えば角度４０°〜４５°程度まで上り傾斜）させるように収容させるとよい。
【００５０】
続いて、ゴミ収容室２の奥側収容部２ｂにゴミ入り袋Ｙを仕切扉４′で堰止め得る高さ（図６の積層線Ｌ1）まで収容した後、継ぎ足し扉５′を回動線Ｒ3（図４〜図６）で示すように仕切扉上方の継ぎ足し位置に変位させる（符号５″の状態）。尚、継ぎ足し扉５″は、継ぎ足し位置に変位させた状態で、図７に示すようにスライド棒５２で転倒しないようにロックしておく。このように、継ぎ足し扉５″を継ぎ足し位置に位置させると、仕切扉部分の全体高さ（仕切扉４′＋継ぎ足し扉５″）が例えば９０〜１００cm程度になり、奥側収容部２ｂ内にゴミ入り袋Ｙを図６の積層線Ｌ2で示すように一層高くまで（例えば天面壁１６近くまで）積み重ねることができる。
【００５１】
図６に示すように奥側収容部２ｂ内にゴミ入り袋Ｙが満杯になると、次に中扉６を各図において符号６′で示すように出入口閉位置に回動させてロックし、図８に示すように次のゴミ入り袋Ｙを中扉６′の上から出入口側収容部２ａ内に投入する。尚、中扉６を閉位置に回動させる前に、出入口側収容部２ａ内にゴミ入り袋Ｙを持ち込んで、出入口側収容部２ａの奥隅部分（中扉６の回動に邪魔にならない位置）に適数個積み上げておき、その後に中扉６を回動させて出入口２１の下部位置を閉じるようにしてもよい。そして、図８に示すように、中扉６′の上からゴミ入り袋Ｙを出入口側収容部２ａ内に投入して順次積み上げていき、この出入口側収容部２ａにも、中扉６′で堰止め得る高さ（図８の積層線Ｌ3）までゴミ入り袋Ｙを傾斜状態に積み重ねることができる。
【００５２】
図８に示すように、出入口側収容部２ａ内に多数のゴミ入り袋Ｙを収容した状態でも、該ゴミ入り袋Ｙが中扉６′で堰止められているので、出入口２１の前面に外扉３がスライド開閉可能になっている。尚、ゴミ回収車が巡回してくるまでは外扉３で出入口２１を閉じておく。
【００５３】
この実施例のように、ゴミ収容室２の約１／２幅部分に小高さの仕切扉４を設け、該仕切扉４に継ぎ足し扉５を設け、出入口２１に中扉６を設けるようにしたものでは、縦長のゴミ収容室２であっても奥側収容部２ｂ及び出入口側収容部２ａに安定状態でそれぞれかなりの量（個数）のゴミ入り袋Ｙを収容でき、しかもゴミ入り袋Ｙを多量に収容した状態であっても外扉３を自由に開閉できる。
【００５４】
他方、ゴミ収容室２内のゴミ入り袋Ｙを回収するには、図８に示すように外扉３を開放した状態で、まず出入口側収容部２ａ内のゴミ入り袋Ｙを中扉６′の上から順次取り出していくが、出入口側収容部２ａの奥底部付近にあるゴミ入り袋でも、中扉が小高さ（６０〜７０cm）であるので該中扉６′の上から手を差し込んで取り出すことができる。そして、出入口側収容部２ａ内のゴミ入り袋Ｙを取り出した後（中扉６′を回動できる範囲のゴミ入り袋を取り出せばよい）、中扉６′を閉位置（符号６の位置）まで回動してロックする。続いて、作業員が出入口側収容部２ａに入って奥側収容部２ｂのゴミ入り袋Ｙを取り出すが、継ぎ足し扉５を図６に鎖線図示（符号５″）するように継ぎ足し状態で使用している場合は、該継ぎ足し扉５″の上から奥側収容部２ｂの上部側にあるゴミ入り袋Ｙを適宜個数（継ぎ足し扉５″を下方に倒してもゴミ入り袋Ｙが滑落しない積層線Ｌ1の高さまで）取り出し、その後に継ぎ足し状態にある継ぎ足し扉５″を符号５′で示すように下方に折畳む（仕切扉部分の高さが６０〜７０cmまで低くなる）。そして、仕切扉４′を仕切り位置に維持させたままで仕切扉４′の上からゴミ入り袋Ｙを取り出し、ある程度排出した後に仕切扉４′を開位置まで回動させれば、出入口側収容部２ａと奥側収容部２ｂとの間に仕切りがなくなって、残りのゴミ入り袋Ｙの排出作業を容易に行える。
【００５５】
このように、本願実施例のゴミ収容箱は、左右に所定広幅で人の背丈より高い高さのゴミ収容室２を有したものにおいて、仕切扉４を仕切位置に位置させ且つ継ぎ足し扉５を継ぎ足し位置に位置させることで、ゴミ収容室２の奥側収容部２ｂ内にかなり高位置までゴミ入り袋Ｙを堰止めた状態で収容することができるとともに、中扉６を出入口閉位置に位置させることで、出入口側収容部２ａ内にもゴミ入り袋Ｙを堰止めた状態で収容できる。従って、ゴミ収容室２の奥側収容部２ｂ及び出入口側収容部２ａにそれぞれゴミ入り袋Ｙを安定した状態で大量に収容できる（ゴミ入り袋Ｙの収容率を大幅に向上させることができる）。尚、仕切扉４及び中扉６は、それぞれ６０〜７０cm程度の低いものであるので、該仕切扉４又は中扉６の上からゴミ入り袋Ｙを出し入れすることができ、該ゴミ入り袋Ｙの出し入れ作業がさほど面倒ではない。
【図面の簡単な説明】
【００５６】
【図１】本願実施例のゴミ収容箱の正面図である。
【図２】図１のII−II矢視図である。
【図３】図１のIII−III矢視図である。
【図４】図１のゴミ収容箱の概略斜視図である。
【図５】図４の一部拡大図である。
【図６】図１のゴミ収容箱の使用状態図で、図４のVI−VI矢視相当図である。
【図７】図６のVII−VII矢視相当の拡大図である。
【図８】図１のゴミ収容箱の使用状態図で、図４のVIII−VIII矢視相当図である。
【図９】従来の一般的なゴミ収容箱の斜視図である。
【図１０】図９のＸ−Ｘ矢視図である。
【符号の説明】
【００５７】
１はゴミ箱本体、２はゴミ収容室、２ａは出入口側収容部、２ｂは奥側収容部、３は外扉、４は仕切扉、５は継ぎ足し扉、６は中扉、１１は前面壁、１２は奥面壁、１２ａは出入口側奥面壁、１３は側面壁（左側面壁）、２１は出入口、Ｙはゴミ入り袋である。
【図１】
2007223748.tif 000003
【図２】
2007223748.tif 000004
【図３】
2007223748.tif 000005
【図４】
2007223748.tif 000006
【図５】
2007223748.tif 000007
【図６】
2007223748.tif 000008
【図７】
2007223748.tif 000009
【図８】
2007223748.tif 000010
【図９】
2007223748.tif 000011
【図１０】
2007223748.tif 000012